(57)【特許請求の範囲】
【請求項１】
互いに接合、離脱可能な第１の部材と第２の部材とを接合状態に維持するためのロック機構であって、
前記第１の部材に立設された軸によって回動可能に保持される回動中心部と、該軸を中心としてロック側と解放側とに揺動変位する当接端部と、該当接端部の前記ロック側において該当接端部から前記回動中心部に向かって設けられた接触縁部とを備え、前記当接端部が前記ロック側に変位した状態では前記回動中心部が前記当接端部よりも上位に位置し前記接触縁部は前記回動中心部側が高く前記当接端部側が低く傾斜し、前記第１の部材と第２の部材とが離脱状態にあるときには前記回動中心が前記第２の部材側になり前記当接端部が前記第２の部材から遠い側になる揺動体と、
前記第１の部材に取り付けられて前記揺動体を前記ロック側に付勢し、該付勢力以外の外力が前記揺動体に及ぼされていない場合には前記揺動体を前記ロック側に変位させた位置とする付勢部材と、
押し上げ突起と、該押し上げ突起の背後に形成された当接面及び該当接面に連接する水平部が含まれる凹陥部とを備えて前記第２の部材に固定されるストッパとを設け、
前記揺動体と前記ストッパとは、
前記第１の部材と前記第２の部材とを接合状態にするために両者を接近させるときには、前記揺動体が前記回動中心部側を先頭として前記押し上げ突起側から前記凹陥部側に向かって前進移動し、前記第１の部材に立設された軸が前記押し上げ突起の上方を通過してから前記接触縁部が前記押し上げ突起に接触し、該接触に伴い前記押し上げ突起が前記付勢部材による付勢力に抗して前記揺動体を前記解放側に揺動変位させ、
前記揺動体の前進移動の継続によって前記当接端部が前記押し上げ突起を乗り越え、前記付勢部材による付勢力により前記揺動体が前記ロック側に変位すると前記当接端部が前記凹陥部に受容されるが、前記揺動体は未だ前記ロック側の変位限に達しておらず、
前記凹陥部に前記当接端部が受容された後に前記揺動体を後退移動させる際には前記当接面が前記当接端部に当接してその後退移動を阻んで前記揺動体の後退移動を阻止し、前記当接面と前記当接端部との間に生じる反力は前記揺動体を前記ロック側に回転させる力として作用するが、該方向への前記揺動体の回転は前記当接端部が前記当接面又は前記水平部に当接して阻まれる関係にある
弾球遊技機用のロック機構。
【請求項２】
長方形の本体枠と、該本体枠の軸側の縦辺に沿って配置されたヒンジによって軸支されて開閉揺動し前記本体枠に接合、離脱する前面枠と、前記本体枠と前記前面枠とで形成される箱状体の内部に保持される遊技盤とを備え、該遊技盤の面上に形成される遊技領域における遊技球の挙動により入賞等が成立すると賞球として遊技球を排出する弾球遊技機において、
前記本体枠を請求項１記載の第２の部材として、前記本体枠の前記軸側の縦辺と対向する開閉側の縦辺の内側に請求項１記載のストッパを固定し、
前記前面枠を請求項１記載の第１の部材として、前記前面枠が前記本体枠に接合した際に前記ストッパと整合する位置に前記揺動体を取り付けて、
請求項１記載のロック機構を装備したことを特徴とする弾球遊技機。
【請求項３】
請求項２記載の弾球遊技機において、
前記付勢部材による付勢力に抗して前記揺動体を前記解放側に揺動変位させることにより、前記当接端部を前記当接面から離脱させて前記揺動体を後退移動可能とする解錠手段を設けたことを特徴とする弾球遊技機。
【発明の詳細な説明】
【０００１】
【発明の属する技術分野】
本発明は、弾球遊技機用のロック機構および弾球遊技機に関する。
【０００２】
【従来の技術】
例えばパチンコ機等の弾球遊技機は、普通図１に示すような構造をしている。図１に示される弾球遊技機１０では、弾球遊技機１０の外殻となると共に弾球遊技機１０を遊技機設置島に取り付けるための部材でもある本体枠１２を備えている。この本体枠１２の軸側の縦辺１４には上下一対のヒンジ１６、１８が取り付けられており、これらヒンジ１６、１８によって前面枠２０を軸支している。
【０００３】
前面枠２０は、ヒンジ１６、１８を軸として本体枠１２に対して開閉可能であり、通常は図示のように本体枠１２に接合した閉鎖状態とされている。そして、この接合状態を保持すると共に、例えば内部の点検などのために前面枠２０を開放可能にするための施錠装置２２が設けられている。
【０００４】
この施錠装置２２としては、例えば実開平６−７５５７４号公報に記載される構造のものが採用されていた。
この実開平６−７５５７４号公報に記載される構造の施錠装置では、前面枠側に配された鈎部材と本体枠側に配された固定金具との係合によって前面枠を施錠する構造であった。
【０００５】
このため、鈎部材および固定金具は、例えば不正行為のために前面枠をこじ開けようとするような、強力な外力に耐え得る必要があり、板厚が２ｍｍを越えるような鋼板等でつくられていた。また、鈎部材を施錠方向に付勢する発条も強力なものが使用されていた。
【０００６】
【発明が解決しようとする課題】
しかしながら、発条が強力であるために、施錠の際に固定金具と鈎部材との間に発生する力（鈎部材を押し下げる方向の力）も大きかった。このため、鈎部材と固定金具とが噛み合ってしまって、施錠できないこともあった。また、いかに頑丈につくられているとは言え、長期の使用によって鈎部材や固定金具が変形して、正常に施錠できなくなることもあった。
【０００７】
本発明は、こうした施錠不能を防止することを目的としている。
【０００８】
【課題を解決するための手段】
上記課題を解決するための手段として、請求項１記載の発明を採用できる。この弾球遊技機用のロック機構は、第１の部材に取り付けられる揺動体および付勢部材と第２の部材に固定されるストッパとからなっている。
【０００９】
揺動体は、第１の部材に立設された軸によって回動可能に保持される回動中心部と、該軸を中心としてロック側と解放側とに揺動変位する当接端部と、該当接端部のロック側において当接端部から回動中心部に向かって設けられた接触縁部とを備えており、当接端部がロック側に変位した状態では回動中心部が当接端部よりも上位に位置し接触縁部は回動中心部側が高く当接端部側が低く傾斜し、第１の部材と第２の部材とが離脱状態にあるときには回動中心が第２の部材側になり当接端部が第２の部材から遠い側になる。付勢部材は、揺動体をロック側に付勢し、この付勢力以外の外力が揺動体に及ぼされていない場合には揺動体をロック側に変位させた位置とする。ストッパは、押し上げ突起と、該押し上げ突起の背後に形成された当接面及び該当接面に連接する水平部が含まれる凹陥部とを備えている。
そして、前記揺動体と前記ストッパとは、前記第１の部材と前記第２の部材とを接合状態にするために両者を接近させるときには、前記揺動体が前記回動中心部側を先頭として前記押し上げ突起側から前記凹陥部側に向かって前進移動し、前記第１の部材に立設された軸が前記押し上げ突起の上方を通過してから前記接触縁部が前記押し上げ突起に接触し、該接触に伴い前記押し上げ突起が前記付勢部材による付勢力に抗して前記揺動体を前記解放側に揺動変位させ、前記揺動体の前進移動の継続によって前記当接端部が前記押し上げ突起を乗り越え、前記付勢部材による付勢力により前記揺動体が前記ロック側に変位すると前記当接端部が前記凹陥部に受容されるが、前記揺動体は未だ前記ロック側の変位限に達しておらず、前記凹陥部に前記当接端部が受容された後に前記揺動体を後退移動させる際には前記当接面が前記当接端部に当接してその後退移動を阻んで前記揺動体の後退移動を阻止し、前記当接面と前記当接端部との間に生じる反力は前記揺動体を前記ロック側に回転させる力として作用するが、該方向への前記揺動体の回転は前記当接端部が前記当接面又は前記水平部に当接して阻まれる関係にある。
【００１０】
そして、このロック機構では、離脱状態にある第１の部材と第２の部材とを接合状態にすべく相対接近させると、揺動体は回動中心部側を先頭、当接端部を後尾として押し上げ突起側から凹陥部側に向かって相対移動（前進移動）する。この前進移動に伴って接触縁部が押し上げ突起に接触するので、揺動体は付勢部材による付勢力に抗して解放側に揺動変位させられる。この前進移動の継続によって当接端部が押し上げ突起を乗り越えると、付勢部材による付勢力により揺動体がロック側に変位し、凹陥部が当接端部を受容してロック状態となる。
【００１１】
凹陥部に当接端部が受容されてロック状態となった後に揺動体を後退移動（第１の部材と第２の部材とを離脱）させる際には当接面が当接端部に当接してその後退移動を阻んで揺動体の後退移動を阻止し、ロック状態を維持する。
つまり、ロック状態を維持するために作用する力は、当接面と当接端部とが押し合う方向の力である。したがって、当接面と当接端部とが精密に接触していなくともロックを維持できる。このため、長期使用でわずかな変形があったとしても施錠不能となることはない。
【００１２】
また、付勢部材による付勢力は、揺動体をロック側に付勢するためだけに必要なもので、ロック状態の維持には利用されないから、強力なものにする必要はない。よって、押し上げ突起が揺動体を解放側に揺動変位させる際に働く力もわずかな力で済み、押し上げ突起と揺動体との摩擦でいずれかが変形するような不具合は生じない。
【００１３】
従って、このロック機構においては、施錠不能となるおそれはない。
請求項２記載の弾球遊技機は、本体枠を請求項１記載の第２の部材として、本体枠の軸側の縦辺と対向する開閉側の縦辺の内側に請求項１記載のストッパを固定し、前面枠を請求項１記載の第１の部材として、前面枠が本体枠に接合した際にストッパと整合する位置に揺動体を取り付けて、請求項１記載のロック機構を装備しているので、前面枠を本体枠に接合した際に施錠不能となることを回避できる。
【００１４】
そして請求項３記載の弾球遊技機においては、付勢部材による付勢力に抗して揺動体を解放側に揺動変位させることにより、当接端部を当接面から離脱させて揺動体を後退移動可能とする解錠手段を設けているので、この解錠手段を操作すれば、前面枠を開放することができる。よって、例えば遊技店の店員等は、所望の時に前面枠を開閉できる。
【００１５】
【発明の実施の形態】
次に本発明の実施の形態を具体例によって説明する。
【００１６】
【具体例】
この具体例は図１に示される弾球遊技機にロック機構を装備した例である。弾球遊技機１０の外部的な構成は従来技術において説明したとおりであるので、ここでは説明を省略する。
【００１７】
図２に示すように、前面枠２０の開閉側の側面３０には、背面３２側において軸ピン３４が立設されており、軸ピン３４を介してＬ字状の揺動体３６が取り付けられている。詳しくは、軸ピン３４は、揺動体３６のコーナー部にあたる回動中心部３８を貫通しており、揺動体３６は軸ピン３４を軸として図面上で時計回り（解放側）および反時計回り（ロック側）に揺動可能となっている。
【００１８】
プラスチック製の揺動体３６は、回動中心部３８から前面枠２０の前面４０側に向かって延びる板状のロックバー４２とロックバー４２とほぼ直行する方向に沿って回動中心部３８から延びる操作バー４４とからなっている。ロックバー４２の当接端４６は円弧状で、その内側にはロックバー４２を貫通して長穴４８が設けられている。また、ロックバー４２の上下縁は直線状であり、下側の縁が接触縁部４９となっている。
【００１９】
ロックバー４２の長穴４８には、鋼板製の昇降片５０に固着された係合ピン５２が貫通しており、係合ピン５２は長穴４８内を遊動可能である。昇降片５０には、ばね掛け用の突起５４、解錠用の突起５６、ガイド穴５７が設けられている。
【００２０】
突起５４には伸長状態にあるコイルばね５８の一端が連結されており、コイルばね５８の他端は前面枠２０の側面３０に立設されたピン６０に連結されている。このためコイルばね５８は、昇降片５０をピン６０側に付勢し、昇降片５０を介して揺動体３６をロック側に付勢している。
【００２１】
ガイド穴５７には、前面枠２０の側面３０に立設されたガイドピン６２が貫通しており、昇降片５０はガイドピン６２がガイド穴５７の上端となる下降位置（図示の位置）からガイドピン６２がガイド穴５７の下端となる上昇位置との間で、昇降変位できる。したがって、揺動体３６も、この昇降片５０の昇降範囲に応じた範囲で揺動変位できる。
【００２２】
突起５６は、図において紙面と垂直方向に延びており、図１に示される施錠装置２２の鍵穴２２ａに鍵（図示略）を差し込んで回動することにより、図示しない解錠片が突起５６を押し上げ、昇降片５０全体を上昇位置側に押し上げることが可能である。また、その際には、揺動体３６が解放側に揺動変位されることになる。
【００２３】
なお、例えば操作バー４４に指を掛けて力を加える等により、揺動体３６を揺動させることもできる。
以上がロック機構の前面枠２０側の構造である。次に、ロック機構の本体枠１２側の構造を説明する。
【００２４】
図３に示すように、本体枠１２の開閉側の縦辺７０の内面７２には、前面７０ａ側からわずかに背面７０ｂ側に入った部分に押し上げ突起７４が設けられている。押し上げ突起７４の背後には、前面７０ａ側から背面７０ｂ側に落ち込む傾斜面として当接面７６が形成されている。当接面７６にはほぼ水平の水平部７８が連接し、水平部７８の他端は背面７０ｂ側に上昇する傾斜部８０に連なっている。そして、当接面７６、水平部７８および傾斜部８０により凹陥部８２が形成されている。そして、これら押し上げ突起７４、当接面７６、水平部７８および傾斜部８０によりストッパ８４が形成されている。
【００２５】
なお、本体枠１２の縦辺７０はプラスチック製で、ストッパ８４部分は、その周囲から図３の紙面と垂直方向に沿って突出していて、周囲との間には段差が形成されている。
次に、図４〜図７を参照して、ロック機構の動作について説明する。
まず、前面枠２０を本体枠１２に接合して弾球遊技機１０を閉鎖状態とする場合について説明する。
【００２６】
前面枠２０を本体枠１２に近づけると、図４に示されるように、揺動体３６の接触縁部４９がストッパ８４の押し上げ突起７４に接触する。
前面枠２０の前進を続けると、図５および図６に示されるように、押し上げ突起７４により、コイルばね５８の付勢力に抗してロックバー４２が押し上げられて、揺動体３６が解放側に揺動変位する。
【００２７】
さらに前面枠２０を前進させると、やがてロックバー４２が押し上げ突起７４を乗り越える。すると、ロックバー４２は、コイルばね５８の付勢力によってロック側に引かれて、図７に示されるように凹陥部８２に落ち込む。
このときロックバー４２の当接端４６はストッパ８４の当接面７６に当接している。このため、前面枠２０と本体枠１２とを引き離す方向の変位が阻止され、弾球遊技機１０は閉鎖状態とされる。
【００２８】
この図７に示される状態から、例えば前面枠２０に外力を及ぼしてこれを後退させようとした場合には、当接端４６において当接面７６に接触しているロックバー４２には、ロックバー４２をロック側に変位させる方向の力が及ぼされる。従って、ロック機構はますます強固にロックされることになり、前面枠２０は開放できない。
【００２９】
次に、前面枠２０を開く場合について２通りの方法を説明する。
第１の方法は鍵を使用する方法である。
図１に示される施錠装置２２の鍵穴２２ａに鍵（図示略）を差し込んで回動すると、図示しない解錠片により突起５６が押し上げられる。これにより、昇降片５０が上昇位置側に押し上げられ、揺動体３６が解放側に揺動変位される。すると、ロックバー４２が押し上げ突起７４よりも解放側とされ、当接端４６も当接面７６から離れる。この状態で前面枠２０を前面側に引けば、ロックバー４２は押し上げ突起７４の上方に至り（図６参照）、ロックは解除される。この状態となれば、鍵の回動を復帰しても構わない。
【００３０】
さらに前面枠２０を後退させれば、揺動体３６は図５〜図４のように変位して、ストッパ８４から離脱する。
第２の方法は、操作バー４４を使用する方法である。
操作バー４４に例えば指を掛けて力を加え、揺動体３６を解放側に揺動させれば、上述と同様にロックバー４２が押し上げ突起７４よりも解放側となる。そこで前面枠２０を本体枠１２から離脱させればよい。
【００３１】
このように、ロックを解除するには２通りの方法があるが、遊技店では第１の方法によるのが普通である。そして第２の方法は、例えば弾球遊技機１０の組立工程において前面枠２０を開閉する場合等、弾球遊技機１０の背面側からの操作に適している。
【００３２】
以上のように、このロック機構では、凹陥部８２に当接端４６が受容されてロック状態となった後、ロック状態を維持するために作用する力は、当接面７６と当接端４６とが押し合う方向の力である。したがって、当接面７６と当接端４６とが精密に接触していなくともロックを維持できる。このため、長期使用でわずかな変形があったとしても施錠不能となることはない。
【００３３】
また、コイルばね５８による付勢力は、揺動体３６をロック側に付勢するためだけに必要なもので、ロック状態の維持には利用されないから、強力なものにする必要はない。よって、押し上げ突起７４が揺動体３６を解放側に揺動変位させる際に働く力もわずかな力で済み、押し上げ突起７４と揺動体３６との摩擦でいずれかが変形するような不具合は生じない。
【００３４】
以上、具体例に従って、本発明の実施の形態について説明したが、本発明はこのような具体例に限定されるものではなく、本発明の要旨を逸脱しない範囲でさまざまに実施できることは言うまでもない。
例えば、具体例では、本体枠の縦辺をプラスチック製としてストッパを一体的に設けているが、ストッパを縦辺とは別部品とすることも可能である。
【００３５】
また、付勢部材としてコイルばねを採用しているが、板ばねや捻れコイルばね等のばね類を使用してもよい。
【００３６】
【発明の効果】
以上説明したように、請求項１記載のロック機構によれば、施錠不能を防止できる。
請求項２記載の弾球遊技機では、前面枠を本体枠に接合した際に施錠不能となることを回避できる。
【００３７】
そして請求項３記載の弾球遊技機によれば、例えば遊技店の店員等は、所望の時に前面枠を開閉できる。
【図面の簡単な説明】
【図１】  具体例および従来例の弾球遊技機の正面図である。
【図２】  具体例のロック機構の揺動体の構造の説明図である。
【図３】  具体例のロック機構のストッパの構造の説明図である。
【図４】  具体例のロック機構の動作の説明図である。
【図５】  具体例のロック機構の動作の説明図である。
【図６】  具体例のロック機構の動作の説明図である。
【図７】  具体例のロック機構の動作の説明図である。
【符号の説明】
１０・・・弾球遊技機、１２・・・本体枠、１４・・・縦辺、
１６・・・ヒンジ、２０・・・前面枠、２２・・・施錠装置、
２２ａ・・・鍵穴、３０・・・側面、３４・・・軸ピン、
３６・・・揺動体、３８・・・回動中心部、４２・・・ロックバー、
４４・・・操作バー、４６・・・当接端、４８・・・長穴、
４９・・・接触縁部、５０・・・昇降片、５２・・・係合ピン、
５４・・・突起、５６・・・突起、５７・・・ガイド穴、
５８・・・コイルばね、６０・・・ピン、６２・・・ガイドピン、
７０・・・縦辺、７２・・・内面、７４・・・押し上げ突起、
７６・・・当接面、７８・・・水平部、８０・・・傾斜部、
８２・・・凹陥部、８４・・・ストッパ。
【図１】
0003767929.tif 000002
【図２】
0003767929.tif 000003
【図３】
0003767929.tif 000004
【図４】
0003767929.tif 000005
【図５】
0003767929.tif 000006
【図６】
0003767929.tif 000007
【図７】
0003767929.tif 000008